(57)【特許請求の範囲】
【請求項１】
開孔されたウエブを形成する方法であって、前記方法は、
ａ）１対のローラーにより形成される第１のニップを通過するようにマシン方向にウエブを供給する工程であって、前記ローラーの一方は、平滑な外側表面を有し、他方のローラーは、外側表面から伸びる複数の突起を有する外側表面を有し、前記ウエブが溶融した周囲を有する複数の開孔を伴って開孔されるように前記ローラーの少なくとも一方が加熱される工程、
ｂ）前記開孔の前記溶融した周囲を固化するために前記ウエブを冷却する工程、および
ｃ）前記開孔の前記固化した溶融した周囲を破壊するために１対のローラーにより形成される第２のニップを通過するように前記ウエブを供給する工程であって、前記第２のニップの前記ローラーの一方が複数の溝を有する外側表面を有する工程
を含む方法。
【請求項２】
ｄ）前記開孔の前記固化した溶融した周囲を破壊するために１対のローラーにより形成される第３のニップを通過するように前記ウエブを供給する工程であって、前記第３のニップの前記ローラーの一方が複数の溝を有する外側表面を有する
付加的な工程を含む請求項１記載の方法。
【請求項３】
前記第２のニップを形成する前記ローラーの前記外側表面上の前記複数の溝が第１の方向に伸び、前記第３のニップを形成する前記ローラーの前記外側表面上の前記複数の溝が前記第１の方向とは異なる方向に伸びる請求項２記載の方法。
【請求項４】
前記第１の方向が前記マシン方向に平行である請求項３記載の方法。
【請求項５】
前記ウエブが不織ウエブを含む請求項１ないし４のいずれか１項記載の方法。
【請求項６】
第２のウエブが前記第１および第２のニップを通過するように同時に供給される請求項１記載の方法。
【請求項７】
ウエブが、ウエブ上への冷却空気の吹き付けにより冷却されることを特徴とする請求項１ないし６のいずれか１項記載の方法。
【請求項８】
前記第２のニップを形成する前記ローラーの一方が平滑外側表面を有する請求項１ないし７のいずれか１項記載の方法。
【請求項９】
前記第３のニップを形成する前記ローラーの一方が平滑外側表面を有する請求項１ないし８のいずれか１項記載の方法。
【発明の詳細な説明】
【０００１】
発明の分野
本発明は開孔されたウエブを形成するための方法に関し、特に、使い捨て吸収製品のトップシートとしての使用にとって適切な開孔されたウエブを形成するための方法に関する。
【０００２】
発明の背景
おむつおよび成人失禁製品のような使い捨て吸収製品は、当該技術において周知である。そのような使い捨て吸収製品は、着用者によりそこにためられる尿および糞便を収集し、保持する。
【０００３】
これまで、使い捨て吸収製品に収集され、保持される尿および糞便の取り扱いのための当該技術におけるほとんどの試みは尿の取り扱いに向けられてきた。使い捨て吸収製品により収集される糞便の取り扱いは、低粘度糞便の複雑なレオロジーにより尿の取り扱いより単純により困難である。
【０００４】
尿を取り扱う先行技術の典型は、着用者の身体に向かって面し、着用者の身体に接触する第１のトップシートおよび尿を吸収するか、または使い捨て吸収製品が着用者からはずされるまで貯蔵のために下にあるコアに尿を移行させるかのいずれかである第１のトップシートの下の第２のトップシートを有する使い捨て吸収製品を提供するためのいくつかの試みである。
【０００５】
典型的には、第１のトップシートおよび第２のトップシートは異なる材料特性を有する。第２のトップシートは、トップシートを通る尿の移行を補助するために第１のトップシートより小さなポア（細孔、気孔）サイズを有しうる。第１のトップシートは疎水性であり、第１のトップシートを通って第２のトップシートに流体を通過させるために第２のトップシートより濡れたときより弾力性でありうる。
【０００６】
先行技術におけるさらに別の試みにおいて、使い捨て吸収製品は第１のトップシート、第２のトップシートおよびコアを有する。第２のトップシートは、本質的に溶融ブロー親水性繊維からなり、コアのポア（細孔）サイズより大きなポアサイズを有する。この配列は、記述によると、第２のトップシートが急速に多くの液体の放出を受け取り、コアによる吸収の前にＸ−Ｙ平面において液体を分配することを可能とする。さらに別の試みにおいては、尿についてのよりすぐれた垂直移動能力は、記述によると、表面仕上げがないかまたは互いに架橋した膨らんだセルロース繊維を用いて達成される。
【０００７】
先行技術における別の試みにおいて、特に有効で効率的な形式で尿のような液体を獲得し、含有するのに適切な吸収性コアは、多数の層を含む。着用者に最も近い第１の層は、親水性繊維材料を含み、排出された液体を急速に獲得するためのこの層の他の部分より相対的に小さな平均密度の獲得ゾーンを有する。第１の層の下は、獲得ゾーンを通って液体処理層それ自体に液体の放出を急速に獲得し、液体処理層全体から貯蔵層に液体を分配するための水分無感応性である弾力性で、低密度で大きなボイド体積の材料を含む液体処理層である。貯蔵層は繊維材料と吸収性ゲル化材料のばらばらの粒子の組み合わせを含み、液体処理層が液体の続く負荷を獲得し、分配するのに十分な能力を有するように、液体処理層が獲得した液体を排水することを可能とする。
【０００８】
先行技術におけるそのような試みの例には、カラミに１９７７年９月１３日に発行された米国特許第４，０４７，５３１号、メイヤー（Ｍｅｙｅｒ）らに１９８９年１月１７日に発行された第４，７９８，６０３号、チェン（Ｃｈｅｎ）らに１９９１年８月６日に発行された第５，０３７，４０９号、バーナーディン（Ｂｅｒｎａｒｄｉｎ）らに１９９２年６月２３日に発行された第５，１２４，１９７号、およびレイジング（Ｒｅｉｓｉｎｇ）らに１９９２年７月２８日に発行された第５，１３４，００７号が含まれる。
【０００９】
もちろん、吸収性ゲル化材料もまたその尿処理能力のために先行技術において現在周知である。吸収性ゲル化材料は、尿のような多量の流体を吸収し、強くない圧力の下でそのような吸収された流体を保持することが可能なポリマー材料である。吸収性ゲル化材料の効果は、使い捨て吸収製品のコアに含まれる吸収性ゲル化材料の形態、位置、および重量パーセンテージにまったく依存する。
【００１０】
最近の試みとして、圧力に抗して膨潤する能力を有する吸収性ゲル化材料を提供することが当該技術においてなされた。それらの教示は、吸収性ゲル化材料が使用の間身体により及ぼされる実際の圧力の下で流体を吸収するという利点を提供することを主張する。当該技術におけるさらに他の教示は、負荷の下で特定の自由膨潤速度（ｆｒｅｅ  ｓｗｅｌｌ  ｒａｔｅ）および吸収性を有する吸収性ゲル化材料を提供する。そのような吸収性ゲル化材料の主張される利点は、ほぼ同じ吸収能力でより少ない体積および質量であり、使用の間に典型的に遭遇する圧力の下で排出された液体を急速に吸収する能力であり、そして使用の間に典型的に遭遇する圧力の下で吸収された液体を保持する能力である。
【００１１】
別の先行の試行において、スズキらに発行された米国特許第４，７０４，１１２号は、異なる繊維組成の２つの異なる層を有する不織布を含むフェーシング（ｆａｃｉｎｇ）を開示する。上方層は、そこに開孔のパターンを有し、疎水性繊維で作られ、下方層は、開孔を有さず、親水性繊維で作られる。
【００１２】
先行技術におけるそのような試みの例には、ケレンバーガー（Ｋｅｌｌｅｎｂｅｒｇｅｒ）に１９９２年９月１５日に発行された米国特許第５，１４７，３４３号およびケレンバーガーらに１９９２年９月２２日に発行された第５，１４９，３３５号が含まれる。
【００１３】
しかしながら、尿を処理するためのそれらの試みのすべては、それもまた使い捨て吸収製品の中に存在しうる低粘度糞便の取り扱いを、するにしても、ほとんど改善しない。糞便を扱う試みには、着用者に近接して合致し、開孔を有する第１のトップシートを提供することが含まれる。開孔は、糞便がボイドスペースにそれを通って通過するように、肛門の開口とできれば重なり合うほうがよい。第１のトップシートは、着用者の皮膚に近接して合致するためにさまざまの弾性パネルを含みうるし、および／または直線の弾性ストランドを有しうる。第１のトップシートの材料特性を最適化することのような先行技術のこの領域における改善がなされてきた。そのような最適化は、第１のトップシートを着用者にとってより快適にし、単一の使い捨て吸収製品をより広い範囲のサイズの着用者に適合させることを可能とする。
【００１４】
先行技術のこの領域において、糞便を受容するためにその中に穴を有する吸収性コアを提供するさらに他の試みがなされた。その穴は楕円型であり、それで第１のトップシートの開孔より長くて狭く、またはダイアモンド形（菱形）でありうる。コアの中の穴は、そのエッジの周りに弾性ストリップを有する開孔の下に位置しうる。
【００１５】
先行技術の使い捨て吸収製品のこのジャンルに対する改善には、スペーサーの付加もまた含まれる。スペーサーは、ボイドスペースが糞便を受容するために存在することを確実にするために第１のトップシートとコアとの間に介在しうる。
【００１６】
先行技術のこのジャンルにおいては、使い捨て吸収製品の特定部分への糞便の移動を制限するバリアを提供するさらに他の試みもなされた。バリアは、バリアを有さない相当する使い捨て吸収製品より着用者の皮膚のより少ない部分に糞便の接触を制限する。
【００１７】
先行技術におけるさらに他の試みは、トップシートの平面から起立するバリアレッグカフスを提供する。バリアレッグカフスは、糞便が使い捨て吸収製品の周囲から出て行く（ｂｒｅａｃｈ）ことを防止する。
【００１８】
糞便を処理するためのそのような試みの例には、デズマレーズ（ＤｅｓＭａｒａｉｓ）らに１９９０年１月９日に発行された米国特許第４，８９２，５３６号、アジズ（Ａｚｉｚ）らに１９９０年３月２０日に発行された米国特許第４，９０９，８０３号、カーン（Ｋｈａｎ）に１９９０年１１月６日に発行された米国特許第４，９６８，３１２号、フリーランド（Ｆｒｅｅｌａｎｄ）に１９９１年２月５日に発行されたともに譲渡された米国特許第４，９９０，１４７号、アレン（Ａｌｌｅｎ）らに１９９１年８月６日に発行されたともに譲渡された米国特許第５，０３７，４１６号、ホルト（Ｈｏｌｔ）らに１９９１年１１月５日に発行された米国特許第５，０６２，８４０号、ドライヤー（Ｄｒｅｉｅｒ）らに１９９２年１２月１５日に発行されたともに譲渡された米国特許第５，１７１，２３６号、およびアンロー（Ｅｎｌｏｅ）に１９９０年２月２８日に刊行された欧州特許出願０，３５５，７４０Ａ２が含まれる。
【００１９】
しかしながら、糞便を処理するためのそれらの試みのいずれもが、幼児、特に母乳で育っている乳児について際立って支配的である低粘度の糞便の問題を解決しない。低粘度の糞便は、重力および着用者による動きまたは圧力の影響の下で使い捨て吸収製品の中を容易に移動する。
【００２０】
糞便の移動は、漏れのようなことが増える、使い捨て吸収製品の周囲に向かってしばしば動く。糞便の移動はまた、着用者の皮膚に対してそれをなすりつけ、清浄化をより困難にする。着用者をきれいにするために、介護者（ｃａｒｅｔａｋｅｒ）は、糞便に触れた皮膚の全面積を拭かねばならず、典型的には、比較的広い汚れた領域を取り扱わなければならない。
【００２１】
低粘度糞便を取り扱うための当該技術における１つの試みは、ロー（Ｒｏｅ）の名義で１９９３年６月１１日に出願された米国特許出願シリアル番号第０８／０７６，７１３号において見出される。この出願は、より少ないトップシート間の貫通を有する第２のトップシートの上にある大きなトップシート間の貫通を有する第１のトップシートを有する使い捨て吸収製品である。
【００２２】
発明の簡単な概要
本発明は、おむつのような使い捨て吸収製品のトップシートとして用いられうる開孔されたウエブを形成するための方法である。ウエブは、１対のローラーにより形成される第１のニップを通してマシン方向に供給され、ローラーの１つは平滑な外側表面を有し、他方のローラーは、その外側表面から伸びる複数の突起を有する外側表面を有する。第１のニップを形成するローラーの少なくとも１つは加熱され、好ましくは両方のローラーが加熱される。ウエブが第１のニップを通過するとき、複数の開孔が作り出され、それぞれが溶融した周囲を有する。ウエブは、開孔の溶融した周囲を固化するために冷却される。ウエブは次いで、開孔の固化した溶融した周囲を破壊するためにローラーの対により形成される第２のニップを通して供給される。第２のニップのローラーの一方は、複数の溝を具備する外側表面を有する。
【００２３】
ウエブは、開孔の溶融した周囲をさらに破壊するために１対のローラーにより形成される第３のニップを通して供給され得る。第３のニップのローラーの一方は、複数の溝を具備する外側表面を有する。
【００２４】
発明の詳細な説明
本明細書で用いられる、「吸収製品」という術語は、身体滲出物を吸収し、含有するデバイスを称し、特に、身体から排出されるさまざまの滲出物を吸収し、含有するために着用者の身体に当接または近接して配置されるデバイスを称する。「使い捨て」という術語は、本明細書では、洗濯されるかまたはさもなければ修復されるかまたは吸収製品として再使用されることが意図されない吸収製品を記述するために用いられる（すなわち、それは、１回の使用の後に廃棄され、好ましくは、リサイクルされ、堆肥化され、またはさもなければ環境に適合する方式で処理されることが意図される）。「一体的」吸収製品とは、別になっているホルダーとライナーのような別になっている手で扱う部品を必要としないように調和した全体（ｃｏｏｒｄｉｎａｔｅｄ  ｅｎｔｉｔｙ）を形成するように互いに一体化された分離した部品で形成される吸収製品を称する。
【００２５】
その上にトップシートとして本発明の開孔ウエブを利用する吸収製品は、図１において示される一体的使い捨て吸収製品、おむつ２０である。本明細書で用いられるものとして、「おむつ」という術語は、幼児および成人失禁者により一般的に着用され、着用者の胴体下部の周りに着用される吸収製品を称する。本発明のウエブはまた、失禁ブリーフ、失禁下着、吸収性挿入物、おむつのホルダーとライナー、女性用衛生着衣などのような他の吸収製品のトップシートとしても用いられうる。
【００２６】
本発明は、使い捨て吸収製品のトップシートとしての使用にとって適切なウエブを提供することのコンテキストにおいて記載されるけれども、本発明は、いかなる意味でも、そのような用途に限定されない。開孔されたウエブおよびトップシートとしてのその使用の記述は、当業者が他のデバイスにおよび他の用途のために本発明を容易に適合させることを可能とするであろう。
【００２７】
図１は、構造の一部がおむつ２０の構造をより明確に示すために切欠され、着用者に面する、または接触するおむつ２０の部分、すなわち内部表面が見るものに向かって向いている、その平坦に伸ばされた、収縮していない状態における（すなわち、弾性的に誘発された収縮が引き伸ばされた）本発明のおむつ２０の平面図である。図１において示されるように、おむつ２０は、好ましくは、液体透過性トップシート２４、トップシート２４と結合する液体不透過性バックシート２６、およびトップシート２４およびバックシート２６の中間の吸収性コア２８を具備する。おむつ２０はさらに、弾性サイドパネル（図示せず）、弾性レッグカフス（図示せず）、弾性腰部形態（図示せず）、および一般的に３６と称されるテープタブを有するファスナーシステムを含みうる。
【００２８】
おむつ２０は、図１において、おむつ２０が着用されている間着用者の前方に近接する第１腰部領域２７、第１腰部領域２７と反対側のおむつ２０が着用されている間着用者の後方に近接する第２腰部領域２９、第１腰部領域２７と第２腰部領域２９との間に位置するクロッチ領域３１、および縦エッジが３３と称され、エンドエッジが３５と称される、おむつ２０の外側エッジにより規定される周辺を有することが示される。おむつ２０の内部表面は、使用の間着用者の身体に隣接するおむつ２０の部分を具備する（すなわち、内部表面は一般的に、トップシート２４の少なくとも一部およびトップシート２４に結合する他の部材により形成される）。外部表面は、使用の間着用者の身体から離れて位置するおむつ２０の部分を具備する（すなわち、外部表面は、一般的に、バックシート２６の少なくとも一部およびバックシート２６に結合する他の部材により形成される）。
【００２９】
図１は、トップシート２４およびバックシート２６が、吸収性コア２８の寸法より一般的に大きな長さおよび幅寸法を有するおむつ２０の態様を示す。トップシート２４およびバックシート２６は吸収性コア２８のエッジを越えて延び、それによりおむつ２０の周辺を形成する。トップシート２４、バックシート２６、およびコア２８は、さまざまの周知形状で組み合わせられうるけれども、好ましいおむつ形状は、一般的に、１９７５年１月１４日にケネス  Ｂ．ビュエル（Ｋｅｎｎｅｔｈ  Ｂ．Ｂｕｅｌｌ）に発行された「使い捨ておむつのための収縮性側面部分」という表題の米国特許第３，８６０，００３号、および１９９２年９月２９日にケネス  Ｂ．ビュエルに発行された「あらかじめ配置された弾力性可撓性ヒンジを有する動的弾性腰部形態を有する吸収製品（Ａｂｓｏｒｂｅｎｔ  Ａｒｔｉｃｌｅ  Ｗｉｔｈ  Ｄｙｎａｍｉｃ  Ｅｌａｓｔｉｃ  Ｗａｉｓｔ  Ｆｅａｔｕｒｅ  Ｈａｖｉｎｇ  Ａ  Ｐｒｅｄｉｓｐｏｓｅｄ  Ｒｅｓｉｌｉｅｎｔ  Ｆｌｅｘｕｒａｌ  Ｈｉｎｇｅ）」という表題の米国特許第５，１５１，０９２号において記載されており、それらのそれぞれは参照により本明細書に組み込まれる。
【００３０】
吸収性コア２８は、いずれの吸収手段でもよく、それは一般的に、圧縮可能であり、柔順であり、着用者の皮膚に刺激がなく、尿および他のある種の身体滲出物のような液体を吸収し、保持することが可能である。図１において示されるように、吸収性コア２８は、着衣表面、身体表面、サイドエッジ、およびウエストエッジを有する。吸収性コア２８は、広範な大きさおよび形態（たとえば、長方形、砂時計形、「Ｔ」字形、非対称形など）で、一般的にエアフェルトと称される細砕された木材パルプのような使い捨ておむつおよび他の吸収製品において通常用いられる広範な液体吸収材料から製造されうる。他の適切な吸収材料の例には、しわのあるセルロースの詰め物、コフォーム（ｃｏｆｏｒｍ）を含む溶融ブローポリマー、化学的に硬化され、修飾され、または架橋されたセルロース性繊維、ティッシュラップおよびティッシュラミネートを含むティッシュ、吸収性発泡体、吸収性スポンジ、超吸収性ポリマー、吸収性ゲル化材料、またはいずれか等価の材料または材料の組み合わせが含まれる。
【００３１】
吸収性コア２８の形状および構造もまた変化しうる（たとえば、吸収性コア２８は、変化する厚さゾーン、親水性勾配、超吸収性勾配、または低平均密度で低平均坪量の獲得ゾーンを有し、または１以上の層または構造を含みうる）。しかしながら、吸収性コア２８の全吸収能力は、おむつ２０の設計負荷および意図される用途と合致すべきである。さらに、吸収性コア２８のサイズおよび吸収能力は、幼児から成人の範囲の着用者に適合するように変化しうる。
【００３２】
吸収性コア２８としての使用のために典型的な吸収構造は、１９８６年９月９日にワイズマン（Ｗｅｉｓｍａｎ）らに発行された「高密度吸収構造」という表題の米国特許第４，６１０，６７８号、１９８７年６月１６日にワイズマンらに発行された「二重層コアを有する吸収製品」という表題の米国特許第４，６７３，４０２号、１９８９年１２月１９日にアングスタッド（Ａｎｇｓｔａｄｔ）に発行された「ダスチング層を有する吸収性コア」という表題の米国特許第４，８８８，２３１号、および１９８９年５月３０日にアレマニー（Ａｌｅｍａｎｙ）らに発行された「低密度および低坪量獲得ゾーンを有する高密度吸収部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」という表題の米国特許第４，８３４，７３５号において記載されている。
【００３３】
バックシート２６は、吸収性コア２８の着衣表面に隣接して位置し、好ましくは、当該技術において周知のもののような（図示されていない）接着手段によりそれに結合している。本明細書で用いられるものとして、「結合する（ｊｏｉｎｅｄ）」という術語は、ある要素を直接他の要素に固着させることによりある要素が直接他の要素に固定される形状およびある要素を中間部材に固着させ、それが今度は他の要素に固着されることによりある要素が間接的に他の要素に固定される形状を包含する。
【００３４】
たとえば、バックシート２６は、接着剤の均一連続層、接着剤のパターン化された層、または接着剤の分離した線、螺旋、または点の配列により吸収性コア２８に固定されうる。満足であることが見出されている接着剤は、ミネソタ州セントポールのＨ．Ｂ．フラー（Ｆｕｌｌｅｒ）・カンパニーにより製造され、ＨＬ−１２５８として販売されている。接着手段は、好ましくは、１９８６年３月４日にミネトラ（Ｍｉｎｅｔｏｌａ）らに発行された「使い捨て汚物封入着衣（Ｄｉｓｐｏｓａｂｌｅ  Ｗａｓｔｅ−Ｃｏｎｔａｉｎｍｅｎｔ  Ｇａｒｍｅｎｔ）」という表題の米国特許第４，５７３，９８６号において開示されている接着剤のフィラメントの開放パターンネットワークを含み、より好ましくは、１９７５年１０月７日にスプラーグ（Ｓｐｒａｇｕｅ），ジュニアに発行された米国特許第３，９１１，１７３号、１９７８年１１月２２日にザイエッカー（Ｚｉｅｃｋｅｒ）らに発行された米国特許第４，７８５，９９６号、および１９８９年６月２７日にウェレニッツ（Ｗｅｒｅｎｉｃｚ）に発行された米国特許第４，８４２，６６６号において示される装置および方法により例示されるような螺旋パターンに旋回される数本線の接着剤フィラメントを含む。それらの特許のそれぞれは、参照により本明細書に組み込まれる。代わりに、接着手段は、熱結合、圧力結合、超音波結合、動的機械的結合、またはいずれか他の適切な接着手段または当該技術において公知であるそれらの接着手段の組み合わせを含みうる。
【００３５】
バックシート２６は、液体（たとえば、尿）に対して不透過性であり、好ましくは薄いプラスチックフィルムから製造される。しかしながら、他の可撓性液体不透過性材料もまた用いられうる。本明細書で用いられるものとして、「可撓性」という術語は、柔順であり、人の身体の一般的形態および輪郭に容易に合致する材料を称する。
【００３６】
バックシート２６は、吸収性コア２８において吸収され含まれる滲出物がベッドシーツおよび下着のようなおむつ２０と接触する製品をぬらすことを防ぐ。したがって、バックシート２６は、織布または不織布材料、ポリエチレンまたはポリプロピレンの熱可塑性フィルムのようなポリマーフィルム、またはフィルムでコートされた不織布材料のような複合材料を含みうる。好ましくは、バックシート２６は、約０．０１２ｍｍ（０．５ミル）から約０．０５１ｍｍ（２．０ミル）の厚さを有する熱可塑性フィルムである。バックシート２６として特に好ましい材料には、インディアナ州テールホート（Ｔｅｒｒｅ  Ｈａｕｔｅ）のトレデガー（Ｔｒｅｄｅｇａｒ）・インダストリーズ，Ｉｎｃ．により製造されるＲＲ８２２０吹込み（ｂｌｏｗｎ）フィルムおよびＲＲ５４７５流延（ｃａｓｔ）フィルムが含まれる。バックシート２６は、好ましくは、より布らしい外観を提供するために、エンボス加工および／またはつや消し仕上げされる。さらに、バックシート２６は、滲出物がバックシート２６を通過することを防ぎながら、蒸気が吸収性コア２８から出て行くことを許容しうる（すなわち、呼吸性である）。
【００３７】
トップシート２４は、吸収性コア２８と近接し、しかし吸収性コア２８の身体表面に隣接する必要はなく、好ましくは、当該技術において周知のもののような手段によりバックシート２６または吸収性コア２８に結合する。適切な接着手段は、バックシート２６を吸収性コア２８に結合させることについては、上記されている。本発明の好ましい態様においては、トップシート２４とバックシート２６はおむつの周辺部で互いに直接結合する。
【００３８】
これから図１および２を参照すると、トップシート２４は、液体透過性材料で作られているウエブ４０を含む。ウエブ４０は、柔順であり、柔軟な感触があり、着用者の皮膚に刺激がない。ウエブ４０は、好ましくは、液体透過性不織布ウエブである。不織布ウエブは、溶融性ポリマー繊維またはフィラメントから形成される繊維性材料である。不織布ウエブは、以下のポリマー、ポリアミド、ポリプロピレン、ポリプロピレンコポリマー、バイコンポーネント、ポリエチレン、ポリエチレンテレフタレート、それらの組み合わせなどのいずれかから形成されうる。適切な材料には、ドライレイ（ｄｒｙ  ｌａｉｄ）梳綿ウエブ、エアレイ（ａｉｒ  ｌａｉｄ）ランダムウエブ、紡糸結合ウエブ、溶融ブローウエブ、スパンレースウエブ、およびスルーエア（ｔｈｒｏｕｇｈ−ａｉｒ）またはカレンダー結合ウエブが含まれる。代わりに、不織ウエブは、飽和結合を介してラテックス結合、グラビア印刷、スクリーン印刷、スプレーまたは発泡結合しうる。さらに、不織ウエブは、ラテックス結合とカレンダー結合のウエブ、または他の適切な組み合わせのような上記技術の組み合わせにより結合しうる。繊維は、さまざまのサイズのものでありうるが、約１ないし１８デニールを有する繊維が好ましい。ウエブ４０は、好ましくは、約５ｇｓｍから１００ｇｓｍ、より好ましくは、約５ｇｓｍから約６０ｇｓｍの坪量を有する。ウエブ４０は好ましくは、約０．１ｍｍから５．０ｍｍ、より好ましくは、約０．１ｍｍから約２．０ｍｍの厚さを有する。
【００３９】
ウエブ４０は、少なくとも０．２平方ミリメートルの有効開孔サイズを有する複数の開孔４６を有し、より好ましくは、複数の開孔は、少なくとも０．５平方ミリメートルの有効開孔サイズを有し、さらにより好ましくは、複数の開孔は、少なくとも１．０平方ミリメートルの有効開孔サイズを有し、最も好ましくは、複数の開孔は、少なくとも２．０平方ミリメートルの有効開孔サイズを有する。有効開孔は、下記の画像獲得パラメーターの下で０〜２５５の標準グレーレベルスケールについて１８以下のグレーレベルを有するものである。
【００４０】
ウエブ４０は、好ましくは、少なくとも１０パーセントの有効開口面積を有し、より好ましくは、ウエブ４０は、少なくとも１５パーセントの有効開口面積を有し、さらにより好ましくは、ウエブ４０は少なくとも２０パーセントの有効開口面積を有し、最も好ましくは、ウエブ４０は、少なくとも２５パーセントの有効開口面積を有する。
【００４１】
有効開孔サイズおよび有効開口面積は、下記の画像解析を用いて以下の手順により定量される。手順は、３つの主要なステップを有する。それはまず、画像獲得、すなわちウエブ４０の表面上の領域の代表的な画像を得ることであり、ついで、画像測定、すなわち、画像および個々の開孔およびその周辺の開口面積のパーセンテージを測定することであり、そしてデータ解析、すなわち、度数分布、面積分布の合計、および動水半径計算がなされるスプレッドシートに開口面積パーセンテージ、個々の開孔面積、および周囲測定値を伝達することである。
【００４２】
フレームグラバーボード、顕微鏡、カメラおよび画像解析ソフトウエアを有する画像解析システムが利用される。マサチューセッツ州マルボロのデータ・トランスレーション社から入手可能なモデルＤＴ２８５５フレームグラバーボードが備えられる。ニュージャージー州フェアローンのキーエンス（Ｋｅｙｅｎｃｅ）・カンパニーから入手可能なコンタクトタイプイルミネーションヘッドを有するＶＨ５０レンズを有するＶＨ５９００モニター顕微鏡、ビデオカメラもまた備えられ、コンピューターファイルに蓄えられる画像を獲得するために用いられる。キーエンスの顕微鏡は画像を獲得し、フレームグラバーボードは、この画像のアナログ信号をコンピューターで読み取り可能なデジタルフォーマットに変換する。画像はコンピューターファイルに蓄えられ、ワシントン州エドモーンズ（Ｅｄｍａｏｎｓ）のバイオスキャン（ＢｉｏＳｃａｎ）・カンパニーから入手可能なオプティマス（Ｏｐｔｉｍａｓ）・イメージ・アナリシスソフトウエア，バージョン３．１のような適切なソフトウエアを用いて測定される。オプティマス・イメージ・アナリシスソフトウエアを用いるために、コンピューターは、ワシントン州レドモンド（Ｒｅｄｍｏｎｄ）のマイクロソフト・コーポレーションから入手可能なウインドウズソフトウエア，バージョン３．０またはそれ以降のものを有するべきである。そしてまた、インテル８０３８６に少なくとも等価のＣＰＵを有するべきである。いずれの適切なデスクトップＰＣも用いられうるが、４８６ＤＸ３３タイプＰＣが特に適切であることが見出されている。ファイルに蓄えられ、ファイルから呼び出される画像は、約５０倍の最終表示倍率でソニー・トリニトロンモニターモデルＰＶＭ−１３４３ＭＯ上に表示された。
【００４３】
上記画像獲得ステップは、試験される材料の代表的な試料から１０の異なる領域を必要とする。それぞれの領域は長方形であり、縦約５．８ミリメートル横４．２ミリメートルの大きさである。試料は、開孔と開孔を規定する試料の部分との間のコントラストを高めるためにブラックマットボード上に置かれる。ブラックマットボードの平均グレーレベルおよび標準偏差は、それぞれ１６および４であった。
【００４４】
画像は、部屋の明かりをなくし、試料の直接上のコピースタンドの上に置かれたキーエンスモニター顕微鏡を用いて獲得される。試料を照明するキーエンス光源が調節され、ニューヨーク州ロチェスターのイーストマン・コダック・カンパニーから入手可能なコダック・グレー・スケール上の０．３密度オプティカルウエッジでの平均グレーレベルおよび標準偏差を測定するためにオプティマスソフトウエアを用いてモニターされる。キーエンス光源の制御は、照明されるウエッジの平均グレーレベルが１１１±１となり、標準偏差が１０±１となるように調節される。すべての画像は単一の時間の間に獲得され、キーエンス光源は、画像獲得プロセスにわたってウエッジの平均グレーレベルと標準偏差を測定することによりモニターされる。
【００４５】
個々の開孔の測定において、有効開孔サイズのみが関心の対象である。有効開孔サイズの測定は、材料の多孔性に寄与すると思われる開孔サイズを定量し、開孔であると思われる領域を横断する繊維および繊維の束の寄与を説明する。有効開孔とは、本明細書で記載される画像獲得パラメーターを用いて１８以下のグレーレベルを有する、材料を突き抜けるあらゆる穴である。したがって、対象の開孔は、横断繊維により複数の有効開孔に分割されうる。
【００４６】
画像解析ソフトウエアは、試料画像から獲得される罫線画像（ｒｕｌｅｒ  ｉｍａｇｅ）によりミリメートル単位で較正される。オプティマス３．１イメージメニューにおいて見出される縦３横３の画素平均化フィルターが、ノイズを減少させるためにそれぞれの蓄えられた画像に適用される。開孔は、０から１８のグレーレベル範囲で検出される。縦５．８横４．２の観察領域の中に完全には含まれていない開孔は、個々の領域および周囲長測定においては考慮されない。それゆえ、面積と周囲長の平均および分布は、観察の視野の中に全体として含まれていない開孔により影響を受けない。
【００４７】
しかしながら、画像の中で完全に観察されえないであろう個々の開孔は、開口面積パーセンテージ計算においては含まれる。この差は、開口面積パーセントは、単純に、画像の中の画素の総数に対する０から１８の画素比の画像であるために起こる。１９以上のグレーレベルを有する領域は、開口面積計算ではカウントされなかった。
【００４８】
それぞれの材料についての１０画像の平均としての開口面積パーセンテージは、オプティマス・イメージ・アナリシスソフトウエアを用いて測定される。開口面積パーセンテージは、画像についての画素の総数に対する０から１８のグレーレベルを有する画素の数の比として定義される。開口面積パーセンテージは、試料からの１つの特定の領域を表すそれぞれの画像について測定される。次いで、１０の個別の画像のそれぞれ由来の開口面積パーセンテージが、試料全体についての開口面積パーセンテージを算出するために平均される。
【００４９】
データ解析は、やはりワシントン州レッドモンドのマイクロソフト・コーポレーションから入手可能なエクセルスプレッドシートによりなされる。エクセルスプレッドシートは、オプティマス・ソフトウエアから得られた開口面積パーセンテージ、開孔の面積、および開孔の周囲長の測定値を組織的にまとめた。試料平均および標準偏差、個々の開孔の面積の大きさおよび度数分布および個々の開孔についての動水半径計算（周囲長により除算された面積）がスプレッドシートを用いて得られる。
【００５０】
個々の開孔の面積の分布もまた、エクセルスプレッドシートを用いて計算される。開孔は、あるサイズ範囲のビン（ｂｉｎ）に仕分けされる。対象のあるサイズ範囲に入る開孔面積の数ならびにそれぞれの範囲の面積の合計が定量される。範囲は、０．０５平方ミリメートルの増加量で設定される。それらの面積は、試料の全開口面積のパーセンテージとして表現される。面積分布の度数および合計は、それぞれの試料についてすべての１０の画像からの個々の開孔測定値を組み合わせることにより得られる。
【００５１】
ウエブ４０の中の開孔４６は、大きさ、形態およびパターンについて変化しうる。一部の可能な形態の例には、限定されないが、円、正方形、長方形、卵形、三角形、ドッグボーン形、星形、矩形などが含まれる。開孔４６は、システマチック、ユニフォームまたはランダムパターンのいずれかで配置されうる。同様のサイズを有する開孔でのシステマチックパターンが好ましい。
【００５２】
ここで図３を参照すると、おむつ１２０上のトップシート１２４は、開孔されたウエブ１４０を具備する。図３において見られうるように、ウエブ１４０は、おむつ１２０の後方すなわち背部腰部領域１２９においてのみ開孔されている。ウエブ１４０は、おむつ１２０のある部分または領域において所望の利益を提供するようにいずれか適切な方式で開孔されうる。たとえば、ウエブ１４０は、クロッチ領域１３１のみまたは前方腰部領域１２７のみ、２つの領域のいずれかの組み合わせ、いずれか一方の領域の一部、またはいくつかの領域の一部において開孔されうる。
【００５３】
ここで図４を参照すると、本発明の開孔されたウエブを形成するためのプロセス２００の模式的例示が示されている。材料２４０が供給ロール２１０から引き出され、それと関連する矢印により示される方向に、すなわちマシン方向に走行し、そのとき供給ロール２１０は、それと関連する矢印により示される方向に回転する。
【００５４】
供給ロールから引き出される代わりに、材料は、たとえば、カード装置、カードおよびカレンダー装置、紡糸結合装置、紡糸結合およびカレンダー装置、溶融ブロー装置、溶融ブローおよびカレンダー装置のような形成装置から第１のニップ２５０に直接供給されうる。
【００５５】
ウエブ２４０は、ローラー２５４および２６０により形成される開孔装置２５２の第１のニップ２５０を通るように供給される。ローラー２６０は、平滑な外側表面２６２を有する。ローラー２６０は、好ましくは、スチールで作られている。ローラー２６０は、たとえばゴムのような他の材料で作られうる。ローラー２５４は、その外側表面２５６の周りに伸びる複数の突起２５８を含む。ローラー２５４は、好ましくは、スチールでできている。
【００５６】
ローラー２５４および２６０は好ましくは同じ速度で回転する。ローラー２５４および２６０の少なくとも一方が加熱されるけれども、好ましくは、ローラー２５４および２６０の両方が加熱される。好ましくは、ローラー２５４は、ローラー２６０より高い温度を有するように加熱される。ウエブ２４０が第１のニップ２５０を通過するときそれは開孔される。ウエブが開孔されるとき、開孔の周囲の少なくとも一部が溶融するようにその融点を超えて加熱される。
【００５７】
ウエブ２４０が装置２５２により開孔された後、ウエブ２４０は次いで、装置２５２を出て行った後ウエブをセットするために冷却される。図４において、ウエブ２４０は、ブロワー２７０からウエブ２４０上に冷たい空気を吹き付けることにより冷却されることが示される。もちろん、ウエブ２４０を冷却するために、他の公知技術が用いられうる。ウエブの冷却はまた、開孔の周囲の周りに広がる溶融した材料も固化する。
【００５８】
冷却の後、開孔されたウエブ２４０は、ローラー２８２および２８４により形成される第２のニップ２８０を通過するように供給される。ローラー２８２および２８４は、好ましくは、同じ速度で回転する。ローラー２８２および２８４は、開孔の周囲の周りに広がる固体の溶融した材料を破壊する。固体の溶融した材料の破壊は、ウエブ２４０の柔軟性を高める。
【００５９】
ローラー２８４は、平滑な外側表面を有し、好ましくは、ゴム、ポリアミド、または他のポリマー材料のような柔軟な材料で作られている。ここで図５を参照すると、ローラー２８２の外側表面２８１は複数の溝２８３を備える。溝２８３は、マシン方向に平行な方向に外側表面２８１の周りに伸びる。溝はまた他の方向にも伸びうる。溝の大きさ、離間、形態および数は、ウエブ２４０に所望の柔軟性を提供するように選択されうる。というのは、溝は、開孔の周囲の周りに広がる固体溶融材料を破壊する役割をするからである。ローラー２８２は、好ましくは、スチールで作られている。
【００６０】
好ましくは、ローラー２８２および２８４の周囲１次速度（ｐｅｒｉｐｈｅｒａｌ  ｌｉｎｅａｒ  ｓｐｅｅｄ）は、ローラー２５４および２６０の周囲１次速度より大きく、それにより、ローラーの２つのセットの間の材料に張力を掛ける。ローラーの速度を調節することにより、材料は、所望の量に狭まるように張力を掛けられる。
【００６１】
第２のニップ２８０から、ウエブ２４０は、巻き取り（ｔａｋｅ−ｕｐ）ロール２９０に巻き取られる。
【００６２】
ここで図６を参照すると、本発明の開孔ウエブを形成するためのもう１つのプロセス３００の模式的例示が示される。材料３４０が供給ロール３１０から引き出され、それと関連する矢印により示される方向、すなわちマシン方向に走行し、そのとき供給ロール３１０はそれと関連する矢印により示される方向に回転する。
【００６３】
供給ロールから引き出される代わりに、材料は、たとえば、カード装置、カードおよびカレンダー装置、紡糸結合装置、紡糸結合およびカレンダー装置、溶融ブロー装置、溶融ブローおよびカレンダー装置のような形成装置から第１のニップ３５０に直接供給されうる。
【００６４】
ウエブ３４０は、ローラー３５４および３６０により形成される開孔装置３５２の第１のニップ３５０を通過するように供給される。ローラー３６０は、平滑な外側表面３６２を有する。ローラー３６０は、好ましくはスチールで作られている。ローラー３６０は、たとえばゴムのような他の材料で作られうる。ローラー３５４は、その外側表面３５６の周りに伸びる複数の突起３５８を含む。ローラー３５４は好ましくは、スチールで作られている。
【００６５】
ローラー３５４と３６０は、好ましくは同じ速度で回転する。ローラー３５４および３６０の少なくとも一方が加熱されるけれども、好ましくは、ローラー３５４および３６０の両方が加熱される。好ましくは、ローラー３５４は、ローラー３６０より高い温度を有するように加熱される。ウエブ３４０が第１のニップ３５０を通過するとき、それは開孔される。ウエブが開孔されるとき、それは、開孔の周囲の少なくとも一部が溶融するようにその融点を超えて加熱される。
【００６６】
ウエブ３４０が装置３５２により開孔された後、ウエブ３４０は次いで、装置３５２を出て行った後にウエブをセットするために冷却される。図６において、ウエブ３４０は、ブロワー３７０からウエブ３４０上に冷たい空気を吹き付けることにより冷却されることが示されている。もちろん、他の公知技術もウエブ３４０を冷却するために用いられうる。ウエブの冷却はまた、開孔の周囲の周りに広がる溶融した材料も固化する。
【００６７】
冷却の後、開孔されたウエブ３４０は、ローラー３８２および３８４により形成される第２のニップ３８０を通過するように供給される。ローラー３８２および３８４は、好ましくは同じ速度で回転する。ローラー３８２および３８４は、開孔の周囲の周りに広がる固体溶融材料を破壊する。固体溶融材料の破壊はウエブ３４０の柔軟性を高める。
【００６８】
ローラー３８４は、平滑な外側表面を有し、好ましくは、ゴム、ポリアミド、または他のポリマー材料のような柔軟な材料で作られている。ローラー３８２の外側表面は、複数の溝を備える。ローラー３８２は、図５において示されるローラー２８２と同じものである。
【００６９】
ローラー３８２と３８４の周囲１次速度は、好ましくは、ローラー３５４および３６０の周囲１次速度より大きく、それによりローラーの２つのセットの間の材料に張力を掛ける。ローラーの速度を調節することにより、材料は、所望の量に狭まるように張力を掛けられる。
【００７０】
第２のニップ３８０から、ウエブ３４０は、ローラー３９２および３９４により形成される第３のニップ３９０に供給される。ローラー３９２および３９４は、好ましくは、同じ速度で回転する。ローラー３９２および３９４は、開孔の周囲の周りに広がる固体溶融材料をさらに破壊する。固体溶融材料の破壊は、ウエブ３４０の柔軟性を高める。
【００７１】
ローラー３９４は、平滑な外側表面を有し、好ましくは、ゴム、ポリアミド、または他のポリマー材料のような柔軟な材料で作られている。ここで図７を参照すると、ローラー３９２の外側表面３９１は、複数の溝３９３を備える。溝３９３は、ローラー３８２上の溝が伸びる方向とは異なる方向に外側表面３９１の周りに伸びる。好ましくは、溝３９３は、ローラー３８２上の溝が伸びる方向に対して垂直の方向に伸びる。溝３９３は、マシン方向に対して垂直の方向に伸びることが図７において示されている。溝はまた他の方向にも伸びうる。溝の大きさ、離間、形態および数は、ウエブ３４０に所望の柔軟性を提供するように選択されうる。というのは、溝は、開孔の周囲の周りに広がる固体溶融材料を破壊する働きをするからである。ローラー３８２は、好ましくは、スチールで作られている。
【００７２】
第３のニップ３９０から、ウエブ３４０は巻き取りロール３９８に巻き取られる。
【００７３】
ここで図８を参照すると、本発明の開孔されたウエブを形成するためのもう１つのプロセス４００の模式的例示が示される。プロセス４００は、第２と第３のニップ４８０および４９０の形成を除いて図６において例示されるプロセスと本質的に同一である。図６において例示されるプロセス３００と違って、プロセス４００は、ニップ４８０と４９０を形成するために同じ平滑なローラー４８４を利用する。このことは単純に、２つの平滑ローラーの必要をなくす。ローラー４８２は、図５において例示されるローラー２８２と同一であり、ローラー４９２は、図７において例示されるローラー３９２と同一である。
【００７４】
上記例示のプロセスにより単一のウエブを供給することの代わりに、多数のウエブが同時にプロセスを通過するように供給されうる。ウエブは、互いに同一でありうるし、互いに異なりうる。たとえば、ウエブは、一方が他方より親水性であるように異なる親水性を有しうる。ウエブは、一方のウエブが他方より広いかまたは他方より厚くなるように異なる寸法を有しうる。本発明により開孔され柔軟化されうるウエブのさまざまの組み合わせおよび数は、所望の結果を提供するように製造者により選択されうる。
【００７５】
おむつ２０は、液体および他の身体滲出物のよりすぐれた封入を提供する（図示されていない）弾性レッグカフスをさらに具備しうる。それぞれの弾性レッグカフスは、脚部領域における身体滲出物の漏れを減少させるためのいくつかの異なる態様を備えうる。（レッグカフスは、また、レッグバンド、サイドフラップ、バリアカフス、または弾性カフスとも称されうるし、ときどき称される。）米国特許第３，８６０，００３号は、弾性レッグカフス（ガスケットカフス）を提供するためにサイドフラップおよび１以上の弾性部材を有する収縮性脚部開口を提供する使い捨ておむつ２０を記載する。１９９０年３月２０日にアジズらに発行された「弾性を有するフラップを有する使い捨て吸収製品」という表題の、ともに譲渡された米国特許第４，９０９，８０３号は、脚部領域の封入を向上させるために「起立した」弾性フラップ（バリアカフス）を有する使い捨ておむつ２０を記載する。１９８７年９月２２日にローソン（Ｌａｗｓｏｎ）に発行された「２重カフスを有する吸収製品」という表題のともに譲渡された米国特許第４，６９５，２７８号は、ガスケットカフスとバリアカフスを含む２重カフスを有する使い捨ておむつ２０を記載する。
【００７６】
おむつ２０は、好ましくは、よりすぐれた適合感および封入を提供する（図示されていない）弾性腰部形態をさらに含む。弾性腰部形態は、着用者の腰部に動的に適合するように弾性的に拡張および収縮することが意図されるおむつ２０の部分または帯域である。弾性腰部形態は、吸収性コア２８のウエストエッジの少なくとも一方から少なくとも縦に外に向かって伸び、一般的におむつ２０のエンドエッジの少なくとも一部を形成する。使い捨ておむつは一般的に、２つの弾性腰部形態を有するように作られ、一方は第１腰部領域２７に位置し、一方は第２腰部領域２９に位置する。しかしながら、おむつは、単一の弾性腰部形態を用いて作られうる。さらに、弾性腰部形態またはその構成要素のいずれもがおむつ２０に固着される分離要素を含みうるけれども、弾性腰部形態は、好ましくは、バックシート２６またはトップシート２４、好ましくはバックシート２６とトップシート２４の両方のようなおむつ２０の他の要素の延長部として作られる。弾性を有するウエストバンドは、１９８５年５月７日にキエビット（Ｋｉｅｖｉｔ）らに発行された米国特許第４，５１５，５９５号および上記参照された米国特許出願シリアル番号第０７／７１５，１５２号において記載されているものを含む多数の異なる形状で作られうるものであり、それらの参照文献のそれぞれは、参照により本明細書に組み込まれている。
【００７７】
おむつ２０はまた、横張力が着用者に対しておむつ２０を維持するようにおむつ２０の周囲に維持されるように重なる形状で第１腰部領域２７および第２腰部領域２９を維持する側面閉鎖を形成するファスナーシステム３６も含む。典型的なファスナーシステムは、１９８９年７月１１日にスクリップス（Ｓｃｒｉｐｐｓ）に発行された「改善されたファスナーデバイスを有する使い捨ておむつ」という表題の米国特許第４，８４６，８１５号、１９９０年１月１６日にネステガード（Ｎｅｓｔｅｇａｒｄ）に発行された「改善されたフックファスナー部分を有する使い捨ておむつ」という表題の米国特許第４，８９４，０６０号、１９９０年８月７日にバットレル（Ｂａｔｔｒｅｌｌ）に発行された「感圧接着剤ファスナーおよびそれを作る方法」という表題のともに譲渡された米国特許第４，９４６，５２７号、１９７４年１１月１９日にビュエルに発行された「使い捨ておむつのためのテープファスナーシステム」という表題のともに譲渡された米国特許第３，８４８，５９４号、１９８７年５月５日にヒロツらに発行された「吸収製品」という表題のともに譲渡された米国特許第Ｂ１  ４，６６２，８７５号、および本明細書ですでに参照された米国特許出願第０７／７１５，１５２号において開示され、それらのそれぞれは参照により本明細書に組み込まれる。
【００７８】
おむつ２０は好ましくは、着用者の背中の下に腰部領域の一方、好ましくは第２腰部領域２９を配置し、他方の腰部領域、好ましくは第１腰部領域２７が着用者の前方に渡って位置するように着用者の脚部の間におむつ２０の残りを引くことにより着用者に取り付けられる。次いで、ファスナーシステムのテープタブ３６がリリース部分からリリースされる。タブ部分をつかみながら、介護者（ｄｉａｐｅｒｅｒ）は次いで、着用者の回りを弾性サイドパネルで包む。ファスナーシステムは、２つの側面閉鎖をもたらすように、おむつ２０の外側表面に固定される。
【００７９】
本発明の特定の態様が例示され記載されてきたけれども、当業者にとっては、さまざまの他の変更および修正が、本発明の精神および範囲から逸脱することなくなされうることが明らかであろう。それゆえ、本発明の範囲にあるすべてのそのような変更および修正は、添付の特許請求の範囲においてカバーすることが意図される。
【図面の簡単な説明】
明細書は、本発明を指摘し、明確に権利請求する特許請求の範囲を含むけれども、明細書は、同様の部材に同じ参照番号が与えられる添付の明細書とともに理解される以下の図面により、よりよく理解されると思われる。
【図１】  図１は、部分的に切欠して示される、本発明の開孔されたウエブで構成されるトップシートを有する使い捨ておむつの平面図である。
【図２】  図２は、図１において示される開孔されたウエブのトップシートの断面図である。
【図３】  図３は、本発明の別態様のウエブで構成されるトップシートを有する使い捨ておむつの平面図である。
【図４】  図４は、本発明の開孔されたウエブを形成するための方法の単純化された模式的例示である。
【図５】  図５は、図４の溝のあるロールの拡大された頭上（ｏｖｅｒｈｅａｄ）平面図による例示である。
【図６】  図６は、本発明の開孔ウエブを形成するための別方法の単純化された模式的例示である。
【図７】  図７は、図６の第３のニップの溝のあるロールの拡大された頭上平面図の例示である。
【図８】  図８は、本発明の開孔ウエブを形成するための別の方法の単純化された模式的例示である。
【符号の説明】
２０，１２０…おむつ、２４，１２４…トップシート、２６…バックシート、２８…吸収性コア、４０，１４０…ウエブ、２５２，３５２…開孔装置、２５４，２６０，２８２，２８４，３５４，３６０，３８２，３８４，３９２，３９４…ローラー、２５８…突起、２７０，３７０…ブロワー
【図１】
0004316145.tif 000002
【図２】
0004316145.tif 000003
【図３】
0004316145.tif 000004
【図４】
0004316145.tif 000005
【図５】
0004316145.tif 000006
【図６】
0004316145.tif 000007
【図７】
0004316145.tif 000008
【図８】
0004316145.tif 000009